(57)【要約】  おむつ及び失禁ガードのような吸収性衣類であって、前記衣類は第１主部パネル（１６）、第２主部パネル（１７）及びそれらの間の股部（１３）を含む。前記衣類は第１主部パネル（１１）のウエスト部に取り付けられ横方向に対向して延在するベルト部材（１７）を備え、該ベルト部材は前記衣類の着用者のウエスト周りを包むように適合されるとともに第１固定手段（１８）により一緒に固定される。第２主部パネル（１２）は該第２主部パネルのウエスト部に前記衣類がパンツ様形状になるような方法で前記ベルト部材（１７）に固定されるように適合された第２固定手段（１９）を備える。前記ベルト部材（１７）は第１主部パネルのウエスト部に沿った横断方向（ｘ）に延びるウエストバンド（２０）により相互に接続されている。少なくとも１つのベルト部材（１７）が前記ベルト部材の端の近くに位置し前記ウエストバンド（２０）に隣り合う弾性領域（１７ａ）を含む。
2009540918.tif 000002
【特許請求の範囲】
【請求項１】
おむつ及び失禁ガードのような吸収性衣類であって、
前記衣類は長手（ｙ）及び横断方向（ｘ）を有し、並びに第１主部パネル（１６）、第２主部パネル（１７）及びそれらの間の股部（１３）を含み、前記第１及び第２主部パネルはウエスト部（１１ａ）を有し、前記衣類はさらに横方向に対向して延在するベルト部材（１７）を備え、該ベルト部材は前記衣類の着用者のウエスト周りを包むように適合されるとともに第１固定手段（１８）により一緒に固定され、第２主部パネル（１２）は該第２主部パネルのウエスト部に前記衣類がパンツ様形状になるような方法で前記ベルト部材（１７）に固定されるように適合された第２固定手段（１９）を備え、前記ベルト部材（１７）は第１主部パネルのウエスト部に沿った横断方向（ｘ）に延びるウエストバンド（２０）により相互に接続されている吸収性衣類において、
少なくとも１つのベルト部材（１７）が前記ベルト部材の端の近くに位置し前記ウエストバンド（２０）に隣り合う弾性領域（１７ａ）を含むことを特徴とする吸収性衣類
【請求項２】
前記弾性領域（１７ａ）はそれぞれの前記ベルト部材（１７）の長さの５０％を超えない、好ましくは４０％を超えない、及びさらに好ましくはそれぞれの前記ベルト部材の長さの３０％を超えないで伸びることを特徴とする請求項１記載の吸収性衣類。
【請求項３】
前記弾性領域（１７ａ）はそれぞれの前記ベルト部材（１７）の少なくとも１ｃｍ、好ましくは少なくとも２ｃｍの長さ（ａ）を超えて伸びることを特徴とする請求項２記載の吸収性衣類。
【請求項４】
前記弾性領域（１７ａ）は弾性フィルム若しくは弾性ラミネートを含むことを特徴とする請求項１〜３のいずれか一項に記載の吸収性衣類。
【請求項５】
前記弾性領域（１７ａ）はウェブ材料間に収縮可能に付随される１以上の弾性糸またはストリップを含むことを特徴とする請求項１〜３のいずれか一項に記載の吸収性衣類。
【請求項６】
前記ウエストバンド（２０）が前記第１主部パネル（１１）の前記ウエスト部に到達し及び対面関係で前記ウエスト部の前記衣類が面する側に若しくは着用者に面する側に又は前記第１主部パネルに含まれる材料層間に取り付けられることを特徴とする請求項１〜５のいずれか一項に記載の吸収性衣類。
【請求項７】
前記ウエストバンド（２０）が前記第１主部パネル（１１）の前記ウエスト部（１１ａ）の遠位端に前記ウエスト部の長手方向（ｙ）延長部を形成するように取り付けられていることを特徴とする請求項１〜５のいずれか一項に記載の吸収性衣類。
【請求項８】
前記第１及び第２固定手段（１８、１９）はフック部材を備え、着用者の体から離れる方へ面する側の前記ベルト部材（１７）の外部表面の少なくとも一部が前記フック部材と係合するループ材料として作用するように適合する材料からなることを特徴とする請求項１〜７のいずれか一項に記載の吸収性衣類。
【請求項９】
前記それぞれのベルト部材（１７）の弾性領域（１７ａ）が対照的な色彩、パターン若しくはマーキングを備え、よって前記ベルト部材の残部から識別可能とされるか、又は代替的に前記ベルト部材の残部が対照的な色彩、パターン若しくはマーキングを備え、よって前記弾性領域（１７ａ）から識別可能とされていることを特徴とする請求項１〜８のいずれか一項に記載の吸収性衣類。
【発明の詳細な説明】
【技術分野】
【０００１】
本発明は着用者のウエスト周りに衣類を取り付けるための固定手段の一部としてのベルトを備えたおむつ及び失禁ガードのような吸収性衣類に関する。
【背景技術】
【０００２】
いわゆるベルト付吸収性衣類は着用者の腹部に当てられるように適合されたフロント主部パネル、着用者の背中に当てられるように適合されたバック主部パネル及び着用者の脚の間の股間にわたって適合される股部を含む。該衣類はさらに通常バックパネルのウエスト部に取り付けられる横方向に対向して延在するベルト部材（１７）を備える。これらのベルト部は該衣類の着用者のウエスト周りを包み込むように適合され及び第１固定手段、例えば固着テープ若しくは機械的な固定手段、例えばフックアンドループ固定手段によって一緒に固定される。フロントパネルはその後着用者の脚の間を通されフロントパネルのウエスト部に備えられた第２固定手段によってベルト部材の外側に固定される。そして該衣類はパンツ様形状となる。別法としてはベルト部はフロントパネル及びバックパネルにある第２固定手段に配置される。しばしばフロント及びバックパネルは多かれ少なかれ形及び大きさについて同一であるので着用者または介護者は個人の好みに従ってその品を着用してよく、フロントパネルをバックパネルとして使用してよくその逆でもよい。
【０００３】
該ベルトは吸収性衣類を体に合うように調節するという改善性を備える。それは特に着用者が立っている場合に該衣類の取替えをより単純化する。
【０００４】
ベルト付吸収性衣類の例は例えば特許文献１、特許文献２、特許文献３及び特許文献４に見られる。
【０００５】
さらなる改善された快適性および適合性のためベルトの一部分に弾性を持たせることも知られている。特許文献５はベルト付おむつを開示し、そこではベルト部はバックパネルの横側端に取り付けられ、それぞれのベース端に伸張可能な部分を有しており、それはベルト部がそれらの長さ方向に沿って延長されることを可能にするものである。おむつのバックパネルにはさらに弾性部（ウエスト弾性体）が備えられる。
【０００６】
特許文献６はベルト付おむつを開示し、そこではベルト部材はおむつのバックパネルの外部側に接着することにより取り付けられているウエストバンドによって相互に接続されている。ベルト部材の末端に近い１つの部分が弾性体であってよい。
【特許文献１】欧州特許出願公開第０２８７３８８号明細書
【特許文献２】欧州特許出願公開第０４０９３０７号明細書
【特許文献３】欧州特許出願公開第０６０５０１２号明細書
【特許文献４】仏国特許出願公開第２５８６５５８号明細書
【特許文献５】特許３４７１９９９号明細書
【特許文献６】欧州特許出願公開第１１１０５２９号明細書
【特許文献７】欧州特許出願公開第１０３５８１８号明細書
【特許文献８】国際公開第／０４７４８８号パンフレット
【特許文献９】欧州特許出願公開第０６４６０６２号明細書
【特許文献１０】国際公開第９８／２９２５１号パンフレット
【特許文献１１】国際公開第０３／０００１６５号パンフレット
【特許文献１２】米国特許５，２２６，９９２号明細書
【発明の開示】
【発明が解決しようとする課題】
【０００７】
本願の発明は改善された快適性及び適合性を有するベルト付吸収性衣類を供給することを目的とするものであって、費用効率の高い製造プロセスで製造されうるものである。
【課題を解決するための手段】
【０００８】
本発明によればこれは第１主部パネルのウエスト部に沿って横断する方向に延在するウエストバンドによって相互接続されているベルト部材を有する衣類により達成され、ここで少なくとも１つのベルト部材は前記ウエストバンドに隣り合う前記ベルト部材の近接端にある弾性領域を有する。
【０００９】
１つの実施形態においては弾性領域はそれぞれのベルト部材の長さの５０％を超えず、好ましくはそれぞれのベルト部材の長さの４０％を、さらに好ましくはそれぞれのベルト部材の長さの３０％を超えない。
【００１０】
さらなる態様において、弾性領域はそれぞれの横方向に伸びるベルト部材について少なくとも１ｃｍ、好ましくは少なくとも２ｃｍを伸びる。
【００１１】
弾性部材は弾性フィルム若しくは弾性ラミネートを有していてもよい。代わりに弾性部材が１以上の弾性糸若しくはストリップであって繊維材料間に収縮可能に付随されるものを有してもよい。
【００１２】
１つの実施形態においては弾性部材は第１主部パネル（１１）のウエスト部まで延在し、対面関係でそれらの衣類に面する側に若しくは着用者に面する側に又は第１主部パネルに含まれる材料層間において第１主部パネル（１１）のウエスト部に取り付けられる。
【００１３】
代替的な実施形態においては、弾性部材は第１主部パネルのウエスト部の末端に取り付けられ、ウエスト部の長手方向の延長部を形成する。発明の一態様においては第１及び第２固定手段はフック部材を備え、着用者の体から離れて面する側のベルト部材の外部表面の少なくとも一部が前記フック部材と係合するループ材料として作用するように適合する材料からなる。
【００１４】
本発明の一実施形態においては、それぞれのベルト部材の弾性領域が対照的な色彩、パターン若しくはマーキングを備えベルト部材の残部から識別可能であるか、又は選択的にベルト部材の残部が対照的な色彩、パターン若しくはマーキングを設けられ前記弾性領域から識別可能とされる。
【発明を実施するための最良の形態】
【００１５】
本発明は添付図面に示される実施形態を参照して以下でより詳細に記載される。
【００１６】
図面の図１は第１主部パネル１１を含むおむつ若しくは失禁ガード１０の形態の吸収性衣類の実施形態を示し、図面で示される実施形態は使用の際着用者の背中及び後ろのヒップ領域にわたるように意図された衣類の一部である。衣類はまた第２主部パネル１２を含み、それは示された実施形態ではパンツのオムツの一部であり使用の際着用者の腹部及び前部のヒップ領域にわたるように意図されている。前記第１及び第２主部パネル１１及び１２の各々はそれぞれウエスト部１１ａ及び１２ａを有する。他の実施形態において第一主部パネル１１はフロント主部パネルであり、第２主部パネル１２はバック主部パネルであってよいと理解される。衣類１０の股部１３は衣類の一部であって使用の際には脚の間にある着用者の股領域を通じてわたるように意図されるものである。吸収性コア１４は股部１３に配置され、第１及び第２主部パネル１１及び１２に至る。吸収性コア１４は内側カバーシート１５及び外側カバーシート１６の間に配置される。この衣類は長手方向y及び横方向xを有する。
【００１７】
「内側カバーシート」という用語は吸収性衣類の内側のカバーを形成する液体透過材料シートをいい、それは使用の際着用者の肌と直接接触して配置される。内側のカバーシートは不織材料、例えば、スパンボンド、溶融ブローン、カーデッド、水中絡み合い（hydroentangled）、湿式積層（wetlaid）などのタイプを含むことができる。適合可能な不織布材料は、木材パルプまたはコットン繊維のような天然繊維、ポリエステル、ポリエチレン、ポリプロピレン、ビスコース、レーヨン等のような人工繊維、または天然繊維と人工繊維との混合物から構成することができる。内側カバーシート材料はさらにトウ繊維から構成してもよく、それは例えば特許文献７で開示されているように接合パターンで互いに結合されてもよい。内側カバーシート材料のさらなる例は多孔質発泡体、開口部を備えたプラスチックフィルムなどである。内側カバーシート材料として適する材料は肌に柔らかく無刺激であって体液、例えば、尿、若しくは月経液により容易に浸透されるものである。内側カバーシートはさらに吸収性衣類の異なる部分で異なっていてもよい。
【００１８】
「外側カバーシート」は吸収性衣類の外側のカバーを形成する材料をいう。外側カバーシートは吸収性衣類の異なる部分で同じ又は異なっていてよい。少なくとも吸収性コアの領域での外側カバーシートは薄いプラスチックフィルム、例えば、ポリエチレン若しくはポリプロピレンフィルム、不織材料であって液体不浸透性材料で覆われたもの、疎水性の不織材料のような液体浸透に耐性がある液体不浸透性材料を備えるか、あるいはプラスチックフィルム及び不織材料の積層体である。外側カバーシート材料は吸収性コアから蒸気が逃げるのを許すための通気性があるものであってよいが、液体がそれを通過するのを防ぐものである。外側カバーシート材料の例としては多孔性のポリマーフィルム、スパンボンド及び溶融ブローン層の不織布ラミネート並びに多孔性ポリマーフィルム及び不織布材料のラミネートがある。好ましくは、外側カバーシートは少なくともそれの下着に面する側に不織布材料を含む。
【００１９】
「吸収性コア」は吸収性構造であって少なくとも吸収性衣類の股領域中にある吸収性衣類の２つのカバーシートの間に配置される。吸収性コアは通常の種類のいずれのものからなるとすることができる。普通に存在する吸収性材料の例としてはセルロースフラッフパルプ、ティシュー層、吸収性の高いポリマー（いわゆる超吸収体）、吸収性発砲材料、吸収性不織布材料、若しくはこれらと同種のものがある。吸収性コア中でセルロースフラップパルプと超吸収性ポリマーとを組み合わせることはよく行われる。超吸収性ポリマーは水膨潤性、水不溶性有機若しくは無機材料であって少なくともそれら自身の重量の２０倍の０．９重量パーセントの塩化ナトリウムを含む水溶液を吸収する能力があるものである。超吸収性材料として使用するのに適した無機材料には、天然素材、例えば多糖類、ポリペプチド及びこれらと同種のもの、同様に合成材料、例えば、合成ハイドロゲルポリマーを含めることができる。例えばハイドロゲルポリマーとしては、例えばポリアクリル酸のアルカリ金属塩、ポリアクリルアミド、ポリビニルアルコール、ポリアクリレート、ポリアクリルアミド、ポリビニルピリジン、及びこれら同種のものが挙げられる。別の好適なポリマーとしては、加水分解されたアクリロニトリルグラフテドスターチ、アクリル酸グラフテドスターチ、及びイソブチレンマレイックアンハイドライド共重合体及びこれらの混合物が挙げられる。ハイドロゲルポリマーは実質的に水不溶性の材料とするため軽く架橋されていることが好ましい。好ましい超吸収性材料は超吸収性粒子、繊維、フレーク、球、などの表面若しくはシエルの外側が超吸収体の内側部分より高い架橋密度を有するようにさらに表面架橋されるものである。超吸収性材料は粒子、繊維、フレーク、球及びこれらと同種のものを含む吸収性合成物中の使用に適したいかなる形態であってもよい。
【００２０】
高い液体貯蔵能力は超吸収性材料の多量の使用により提供される。親水性繊維、例えばセルロース繊維のマトリックス、及び超吸収性材料を含む吸収性コアに対して、超吸収性材料の比率は１０〜９０重量％が好ましく、３０〜７０重量％がより好ましい。
【００２１】
液体受容能力、液体配分能力及び貯蔵能力について異なる属性の層を含む吸収性コアを有することは吸収性衣類にとっては通常のことである。薄い吸収性主部は、例えば赤ちゃんのおむつ及び失禁ガードに共通しており、しばしば圧縮され、混合され若しくは層化された構造のセルロースフラップパルプ及び超吸収性ポリマーを含む。吸収性コアの大きさ及び吸収性能力は様々な用途、例えば幼児若しくは成人失禁者に適合するように変化させてもよい。
【００２２】
吸収性コアはさらに主要な吸収性主部の上部に配置される取得配分層をさらに含んでよく、それは主要な吸収性コアによって吸収される前に放出された液体を素早く受容及び一時的に貯蔵するように適合される。そのような取得配分層は当該技術で周知であって多孔性繊維の詰め物若しくは発砲材料から作られるものとしてよい。
【００２３】
ベルト部材１７の対は第１主部パネル１１のウエスト部に取り付けられ、衣類の着用者のウエストの周りで包まれ及び第１固定手段１８、例えば機械的固定手段、特にフックアンドループ固定手段のフックファスナーにより互いに固定されるように意図されている。対向するベルト部材の外部表面は、特にこれが繊維質の不織布を含む場合に、ループ材料として機能することができる。機械的ファスナーのさらなる例としてはボタン及びホール若しくはボタンループ、スナップファスナー並びにこれらと同種のものがある。ボタンはベルト若しくは衣類のどちらにも固定することができる。
【００２４】
「フックアンドループファスナー」は「フック」部及び「ループ」部を有する相補的な固定手段であってそれらは再固定可能なものをいう。ここで使用される用語「フック」は他の構成要素、いわゆる「ループ」部と係合する能力があるすべての構成要素をいう。用語「フック」はその通常の意味における「フック」のみに限られるものではなく、一方向性若しくは二方向性であろうがなかろうがむしろ係合構成要素のすべての形態を含む。用語「ループ」は同様にその通常の意味における「ループ」に限られず、「フック」ファスナーと係合する能力のあるどのような構造をも含む。「ループ」材料の例は繊維質構造であって、不織布材料のようなものである。フックアンドループファスナーは例えば米国のＶｅｌｃｒｏから入手できる。
【００２５】
別の第１固定手段１８としては付着ファスナー例えばテープタブがあり、それは対向するベルト部材１７の外部表面が、テープが付着できるような材料からなるようなものであってよい。
【００２６】
第２固定手段１９は図１に示されるようにフロントパネル１２のウエスト部１２ａの横方向端に備えられる。これらの第２固定手段１９は機械的ファスナー、例えばフックファスナー、ボタン及びホール若しくはボタンループ、又は付着テープファスナーであってベルト部材１７の外部表面に固定されるように意図されるものである。
【００２７】
ベルト部材１７の幅は５〜２０ｃｍであるべきであり、好ましくは７〜１５ｃｍである。
【００２８】
ベルト部材１７は好ましくはベルトの外部表面を形成するキャリア材料のラミネート、及び使用者の肌に直接接触するように意図されベルトの内側を形成する柔らかい不織布から作られる。
【００２９】
適した不織布材料は例えばポリプロピレン若しくはポリエチレン繊維のスパンボンド材料とすることができる。コンジュゲート繊維を使用してもよい。他の適した不織布材料としては例えばポリプロピレン、ポリエステル若しくはコンジュゲート繊維のカーデッドサーモボンド材料から形成されるものがある。
【００３０】
ベルト部材の外部表面、例えばキャリア材料、は固定手段１８の受容表面としての機能に適合すべきである。固定手段がフックファスナーの場合不織布材料はキャリア材料として使用されてよい。固定手段１８がテープタブの場合、プラスチックフィルムはキャリア材料として適している。
【００３１】
それぞれのベルト部材１７は第１主部パネル１１に隣り合うベルト部材の近接端に弾性領域１７ａを含む。前記弾性領域１７ａは弾性ウェブ材料例えば弾性フィルム、弾性不織布、弾性ラミネート若しくはこれらと同種のものの形態としてよい。弾性ラミネートは２以上の不織布層、２以上のフィルム層、若しくはフィルム及び不織布層の組み合わせの間のラミネートとしてよい。
【００３２】
前記弾性領域１７ａを形成するのに適した弾性ラミネートの例としては当該技術分野で知られた弾性ラミネートのすべてが挙げられる。弾性ラミネートの１つのグループはいわゆる「ストレッチボンド」ラミネートであって、ここで弾性層は、１以上の非弾性層でラミネートされる前に、少なくとも１つの方向に延伸されている。張力が弾性層から取り除かれた後弾性層はその非張力状態に自由に縮むことができ、弾性層にラミネートされた非弾性層が凝縮されて３次元ひだになる。
【００３３】
弾性ラミネートの別のグループはいわゆる「ネックボンド」ラミネートであって、弾性材料が非弾性材料に結合されるが非弾性部材がその幅を減ずる又はネックされる条件下で延伸されるラミネートをいう。「ネックボンドラミネート」とは少なくとも２層を有する複合材料を指し１つの層はネックされた非弾性層であり、他の層は弾性層である。これら層は非弾性層が伸びた状態にある場合に一緒に結合される。
【００３４】
弾性ラミネートのさらなるグループは例えば特許文献８で開示され、ここで非弾性的な不織布層は弾性フィルム層に積層され、ラミネートは不織布材料の破断点を超えて延伸され、非弾性層が破れている。
【００３５】
弾性ラミネートの例は特許文献９、特許文献１０、特許文献１１及び特許文献１２に開示されている。商業的に利用可能な弾性ラミネートの例はＴｒｅｄｅｇａｒからのＦａｂｒｉｆｌｅｘ  ３０６及びＮｏｒｄｅｎｉａからのＰＫ  ６３５８である。
【００３６】
弾性領域１７ａは以下に示される弾性試験で測定して少なくとも３０％の弾性を有するべきである。
【００３７】
別法としては、弾性領域１７ａはウェブ材料層間に収縮的に付随される１以上の弾性糸若しくはストリップを含む。
【００３８】
別の実施例では唯１つのベルト部材１７が弾性領域１７ａに備えられる。
【００３９】
弾性領域１７ａはそれぞれのベルト部材の長さの５０％を超えず、好ましくは４０％を超えず、さらに好ましくはそれぞれのベルト部材１７の長さの３０％を超えない。これは、弾性領域に取り付けられると固定手段１８及び１９の効果が減少すること、及び弾性領域は伸び及び／若しくは収縮しそれにより固定手段及び弾性領域の間の結合を弱くするからである。それぞれの弾性領域１７ａの活動部分がそれぞれ横方向に伸びるベルト部材１７の所定の長さａを超えて伸びるのが好ましく、ａは少なくとも１ｃｍ、好ましくは少なくとも２ｃｍである。弾性領域１７ａの活動部分ａは、非弾性ベルト部材１７に結合することにより非活動的になされることのない弾性領域の部分を指す。これは図２で示される。このように非弾性ベルト部材１７とオーバーラップし、かつ非弾性ベルト部材１７に結合された弾性領域１７ａの部分は活動部分ａには含まれない。
【００４０】
ベルト部材１７は第１主部パネル１１のウエスト部に沿って横断方向、ｘに伸びるウエストバンド２０により相互に接続される。ウエストバンド２０はベルト部材１７と同じ材料のもの若しくは異なるウェブ材料のものであってよい。
【００４１】
ウエストバンド２０は第１主部パネル１１の衣類に面する側に、すなわち図１及び２で示されている衣類のウエスト部１１ａに隣接して外側カバーシート１６に取り付けられてよい。別法としては、それは第１主部パネル１１の着用者に面する側に、すなわち内側カバーシート、若しくは内側及び外側カバーシート１５及び１６の間に取り付けられる。該ウエストバンド２０は接着、超音波溶接、サーモボンド若しくは他の適した結合技術により第１主部パネル１１に取り付けられる。
【００４２】
ウエスト弾性部材２１は第２主部パネル１２のウエスト部１２ａの少なくとも一部に沿って横断方向ｘに伸びる。ウエスト弾性部材は弾性ウェブ材料例えば弾性ラミネート、弾性フィルム若しくは同種のものであって内部及び外部カバーシートの間で、外部カバーシートの外部側若しくは内部カバーシートの着用者側に収縮的に取り付けられるものであってよい。別法としては、ウエスト弾性部材は外側及び内側カバーシートの間に収縮的に付随された２以上の弾性糸若しくはストリップを含む。対応するウエスト弾性部材が第１主部パネル１１のウエスト部１１ａにも配置されてよい。
【００４３】
脚開口部もまた弾性化され、前記弾性化は通常複数の弾性糸のような弾性部材２２によって達成され、弾性部材は外部及び内側カバーシートの間に収縮可能に付随される。また、衣類は漏出に対する改善された安全性を提供するためにいわゆるバリアカフによって提供されてもよい。これらのバリアカフは場合によっては脚弾性体を置き換えてもよい。
【００４４】
図３で示される実施例において、ウエストバンド２０は第１主部パネル１１のウエスト部１１ａの末端の内側に所定の長さで取り付けられ、よってウエスト部の一部が長手方向ｙにウエストバンド２０の外側に延在する。
【００４５】
図４に示される実施例では、ウエストバンド２０は第１主部パネル１１のウエスト部１１aの末端に取り付けられ、長手方向yに前記ウエスト部の外側に延在する。
【００４６】
ベルト付衣類を着用者に着用する場合、ベルト部材１７は衣類の着用者のウエスト周りで包まれるとともに第１固定手段１８により一体に固定される。これは図５に図示される。図６に図示されるように、第２主部パネル１２は次いで着用者の脚の間を通り、第２主部パネル１２に備えられる第２固定手段１９によりベルト部材１７の外側に固定される。発明の一実施形態においてベルト部材１７の弾性領域１７aは対照的な色彩、パターン若しくはマーキングによって示され、よってこの領域が上記の理由により固定手段１８、１９の取り付け表面として使用すべきでないことをユーザー若しくは介護者に容易に識別可能とする。別法としてはベルト部材１７の非弾性部がこの領域は取り付け表面として使用されるべきではないということを示す対照的な色彩、パターン若しくはマーキングで示される。
【００４７】
弾性試験
この方法は繰り返される負荷および非負荷サイクルでどのように弾性材料が振舞うかを測定する。サンプルは予め定められた長さにまで伸ばされ、０及び前記予め定められた長さの間の周期的な動きが実行される。望まれる負荷及び非負荷力は記録される。永久伸び、すなわち、負荷をかけられていない状態の材料の残留伸びが測定される。
【００４８】
周期的な運動が実行可能であり、かつプリンター／プロッター若しくはソフトウェアプレゼンテーションを備えた引張試験機、Ｌｌｏｙｄ  LRXが使用される。サンプルは２５ｍｍの幅及び長さが好ましくは引張試験機でのクランプの間の距離よりも長い２０ｍｍにカットされることにより準備された。
【００４９】
引張試験機は装置の使用説明書に従って較正される。試験（負荷及び非負荷力）のために必要なパラメーターが次のように調節される：
−クロスヘッド速度：５００ｍｍ／ｍｉｎ
−クランプ距離：５０ｍｍ
−プリロード：０．０５Ｎ
【００５０】
サンプルはマークに従ってクランプに配置され、サンプルが中心出しされてクランプで垂直に固定されていることが確かめられる。引張試験機が始動され、０及び予め定められた規定された最大の１負荷に等しい伸びの間での３周期が実行される。最後の周期の前に、サンプルは１分間負荷をかけられていない状態にされ、その後永久伸びが、０．１Ｎの力が検出されるまでサンプルを伸ばすことにより測定され、伸びが読まれる。
【００５１】
負荷をはずした後の永久伸びは１０％未満であるべきであり、上記方法により測定される。このように３０％の弾性はラミネートが上記引っ張り試験機で３０％の伸びに至る力がかけられた後１０％未満の無負荷時永久伸びを有するべきであるものとして規定される。３０％の伸びは、サンプルの最初の長さよりも３０％長い長さへの伸びを意味する。
【００５２】
上記には少しの最良な実施形態しか詳細に開示されていないにもかかわらず、当業者はすぐに多くの修正が可能であってかつそのような修正のどのようなものであっても請求項に規定されるこの発明の範囲内に含まれるように意図されていることを理解するであろう。
【図面の簡単な説明】
【００５３】
【図１】図１は該発明の一実施例に従った着用者に面する側からみたベルト付おむつの平面図を示す。
【図２】図２は該衣類に面する側からみた図１のベルト付おむつの平面図である。
【図３】図３は衣類に面する側からみた変更された実施例に従ったベルト付おむつの一部の平面図である。
【図４】図４は衣類が面する側からみたさらなる実施例に従ったベルト付おむつの一部の平面図である。
【図５】図５は着用者にどのようにベルト付おむつを着用させるかを図示する。
【図６】図６は着用者にどのようにベルト付おむつを着用させるかを図示する。
【符号の説明】
【００５４】
１０   衣類
１１   第１主部パネル
１１ａ 第１主部パネルのウエスト部
１２   第２主部パネル
１２ａ  第２主部パネルのウエスト部
１３   股部
１４   吸収性コア
１５   内側カバーシート
１６   外側カバーシート
１７   ベルト部材
１７ａ 弾性領域
１８   第１固定手段
１９   第２固定手段
２０   ウエストバンド
２１   ウエスト弾性部材
【図１】
2009540918.tif 000003
【図２】
2009540918.tif 000004
【図３】
2009540918.tif 000005
【図４】
2009540918.tif 000006
【図５】
2009540918.tif 000007
【図６】
2009540918.tif 000008
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
おむつ及び失禁ガードのような吸収性衣類であって、
前記衣類は長手（ｙ）及び横断方向（ｘ）を有し、並びに第１主部パネル（１６）、第２主部パネル（１７）及びそれらの間の股部（１３）を含み、前記第１及び第２主部パネルはウエスト部（１１ａ）を有し、前記衣類はさらに横方向に対向して延在するベルト部材（１７）を備え、該ベルト部材は前記衣類の着用者のウエスト周りを包むように適合されるとともに第１固定手段（１８）により一緒に固定され、第２主部パネル（１２）は該第２主部パネルのウエスト部に前記衣類がパンツ様形状になるような方法で前記ベルト部材（１７）に固定されるように適合された第２固定手段（１９）を備え、前記ベルト部材（１７）は第１主部パネルのウエスト部に沿った横断方向（ｘ）に延びるウエストバンド（２０）により相互に接続されている吸収性衣類において、
少なくとも１つのベルト部材（１７）が前記ベルト部材の端の近くに位置し前記ウエストバンド（２０）に隣り合う弾性領域（１７ａ）を含み、前記弾性領域（１７ａ）はそれぞれの前記ベルト部材（１７）の長さの５０％を超えないで伸びることを特徴とする吸収性衣類
【請求項２】
前記弾性領域（１７ａ）はそれぞれの前記ベルト部材（１７）の長さの４０％を超えない、及び好ましくはそれぞれの前記ベルト部材の長さの３０％を超えないで伸びることを特徴とする請求項１記載の吸収性衣類。
【請求項３】
前記弾性領域（１７ａ）はそれぞれの前記ベルト部材（１７）の少なくとも１ｃｍ、好ましくは少なくとも２ｃｍの長さ（ａ）を超えて伸びることを特徴とする請求項２記載の吸収性衣類。
【請求項４】
前記弾性領域（１７ａ）は弾性フィルム若しくは弾性ラミネートを含むことを特徴とする請求項１〜３のいずれか一項に記載の吸収性衣類。
【請求項５】
前記弾性領域（１７ａ）はウェブ材料間に収縮可能に付随される１以上の弾性糸またはストリップを含むことを特徴とする請求項１〜３のいずれか一項に記載の吸収性衣類。
【請求項６】
前記ウエストバンド（２０）が前記第１主部パネル（１１）の前記ウエスト部に到達し及び対面関係で前記ウエスト部の前記衣類が面する側に若しくは着用者に面する側に又は前記第１主部パネルに含まれる材料層間に取り付けられることを特徴とする請求項１〜５のいずれか一項に記載の吸収性衣類。
【請求項７】
前記ウエストバンド（２０）が前記第１主部パネル（１１）の前記ウエスト部（１１ａ）の遠位端に前記ウエスト部の長手方向（ｙ）延長部を形成するように取り付けられていることを特徴とする請求項１〜５のいずれか一項に記載の吸収性衣類。
【請求項８】
前記第１及び第２固定手段（１８、１９）はフック部材を備え、着用者の体から離れる方へ面する側の前記ベルト部材（１７）の外部表面の少なくとも一部が前記フック部材と係合するループ材料として作用するように適合する材料からなることを特徴とする請求項１〜７のいずれか一項に記載の吸収性衣類。
【請求項９】
前記それぞれのベルト部材（１７）の弾性領域（１７ａ）が対照的な色彩、パターン若しくはマーキングを備え、よって前記ベルト部材の残部から識別可能とされるか、又は代替的に前記ベルト部材の残部が対照的な色彩、パターン若しくはマーキングを備え、よって前記弾性領域（１７ａ）から識別可能とされていることを特徴とする請求項１〜８のいずれか一項に記載の吸収性衣類。
【国際調査報告】
2009540918.tif 000009
2009540918.tif 000010
2009540918.tif 000011
2009540918.tif 000012